(57)【要約】【課題】従来の梯子、脚立は固定形成してあるためかさばり  持ち運び、据え付けが容易でなかった。またステップの幅が狭いため長時間の作業で難点があった。【解決手段】欠点を解決するために固定形成してあった２本の支柱を１本にし幅を狭くすることで障害物に当たる確立を少なくし  また延長用支柱の採用により従来の梯子、脚立の大型から小型までの機能を有することが出来た。さらにステップの大きさがある程度自由に造れるので作業時の姿勢の安定と足の痛み、疲れから開放される。【選択図】図１
2005248572.tif 000002
【特許請求の範囲】
【請求項１】
１本の支柱に一対のステップ誘導軌道を備えた本体支柱を有する梯子、脚立。
【請求項２】
１対のステップが独立して無段階で上下にスライドする梯子、脚立。
【請求項３】
請求項１記載の支柱に必要に応じその最上部に壁或いは植木等に直角になるように支持アームを取り付けることが出来る梯子、脚立。    
【発明の詳細な説明】
【技術分野】
【０００１】
本発明は、持ち運び、据付が容易で  なおかつ最良の作業位置を確保できる梯子、脚立に関する物である。
【背景技術】
【０００２】
現在の梯子はアルミ製が主流である  昔の重くて大きな木製の梯子からすると格段に重量、機能性ともに進歩しているがまだ改良の余地はたくさん有るように思われる。従来の梯子は図2に示すように2本の支柱1aを外側に配しその内側に一定の間隔でステップ2aを配し固定してある  脚立1bの場合は支柱の上下の間隔は異なる  固定形成してあるためかさばり  狭いところでの持ち運び、狭い植木樹間での据付などで思うように動きが取れないことが多々在る。車に積むのも3〜4ｍも有ると小さい車には積めないので荷物が無くても大きい車を使わざるを得なくなる。また梯子、脚立上での仕事時間が長いときなど
7図に示すようにステップ2aの幅が狭いため足が痛くなったり疲れたりしやすい等の欠点がある。
【特許文献１】特開２０００−２４８８６６（Ｐ２０００−２４８８６６Ａ）
【特許文献２】特開平８−１３９６６
【発明の開示】
【発明が解決しようとする課題】
【０００３】
解決しようとする問題点は、狭い建設、建築現場  樹間を縫うようにして運搬、移動し  木の枝を避けながら据え付ける植木、果樹等の剪定、収獲作業など狭い場所での使用が多いので、大きくかさばる梯子を  機能性を落とさず如何にコンパクトにできるかである。
【課題を解決するための手段】
【０００４】
以上の課題を解決するために、第一発明は  支柱を1本の形にし１対のステップを独立して自由に動かせるように１対の誘導軌道を設け幅を狭くしたのを特徴とする。
第二発明は、ステップを無段階でスライドさせることにより最良の仕事位置を確保できるのを特徴とするものである。
第三発明は、最上接地部に支持アーム等のアタッチメントを取り付けられることを特徴とする発明である。
【発明の効果】
【０００５】
第一発明は、従来の梯子のかさばりをなくすため本体支柱を1本の形にしたもので格段にコンパクトな形になったが、それを可能にしたのは第二発明のスライド式ステップとの合体によるものである。  第一発明、第二発明では幅を、又  最上接地部、本体支柱、ステップ、支柱脚等各部分部分を取り外すことで長さを短くすることが出来るのでよりいっそうコンパクト化することが出来る。また第三発明は支持アームの伸縮により対象物との間隔を調節でき作業領域の拡大につながる  また先が2股のため横に倒れにくくする効果も大である。
【発明を実施するための最良の形態】
【０００６】
従来の梯子の欠点であるかさばりを、1本の本体支柱と1対のスライドステップとの組み合わせにより取り除き  機能性を落とさず運搬、据付を容易にすることが出来るようになった。
【実施例１】
【０００７】
図１は、本発明の正面図、側面図の略図である。1が本体支柱でありこれに沿ってステップ２が上下することにより梯子、脚立の機能を果たすものである。支柱脚3の開きにより梯子を安定させる  最上接地部4は壁、柱等に接するところである。5図はステップ2をスライドさせるときの状況を平面図上aa’の断面図に足の位置を示したものである。作業時には足はステップ2上にありステップ固定ピン6が固定孔6aに挿入状態にある  作業位置変更時には  足を本体支柱1方向にずらし固定解除金具5を押し付けることによってステップ固定ピン6が穴6aからはずれスライドできる状態になる。上方向にスライドする場合は固定解除金具5の突起部に足を引っ掛け持ち上げる下方向にはそのまま下げることが出来る。ステップを固定するときは足を離せば  ばね8の力により固定ピン6が固定孔6aに入り固定される仕組みである。
【０００８】
6図は  庭木に脚立として立てかけた様子を示したものであるが  支持アーム9の採用により最良の仕事位置を確保することが出来る。
最上接地部4aに支持アーム9を取り付けねじ11で固定するのであるがその場合ねじ11を緩めて木との間隔を調節し位置が決まったところでねじ11を締め固定する。.9aは支持アーム9使用時の断面図でありｂｂ‘で切断したところである。7図は  従来の梯子のステップ2aと本発明のステップ2の違いを示したものである。本発明のステップ2は支柱の幅に関係なく大きさを変えて造ることが出来る。3図はステップ部の正面図、平面図である  平面図はｃｃ‘の位置から見た所を示したものである。8図は梯子として使用する場合の最上接地部4と脚立のときの最上接地部4aをそれぞれ描いたものであり  最上接地部4aに差し込んで使用するアタッチメントとして9図に示したのが支持アーム9、支持棒10である。
【０００９】
10図は  梯子の長さが足りないときに使用する延長用支柱12である。最上接地部4と本体支柱1の間に差し込んで使用するものである。この延長用支柱12の採用により梯子  脚立でのどのような高さの仕事領域も確保できるようになった。また梯子を短く使用するときは延長用支柱12を本体支柱1の代わりに使用する事も出来る。
【図面の簡単な説明】
【００１０】
【図１】本発明の梯子の正面図、側面図の略図である。
【図２】従来の梯子、脚立の正面図、側面図の略図である。
【図３】ステップ部の拡大図であり正面図、平面図の略図である。
【図４】ステップ部の拡大図であり側面図の略図である。
【図５】ステップ部の拡大断面図の略図である。
【図６】本発明使用時の概略図である。
【図７】従来のステップと本発明のステップの比較図である。
【図８】最上接地部の略図である。
【図９】アタッチメントの略図である。
【図１０】延長用支柱の略図である。
【符号の説明】
【００１１】
1    本体支柱    
2    ステップ
3    支柱脚
4    最上接地部
5    ステップ固定解除金具
6  ステップ固定ピン
7  ステップ補強板
8  ばね
9  支持アーム
10  支持棒
11      締め付けねじ        
12      延長用支柱            
【図１】
2005248572.tif 000003
【図２】
2005248572.tif 000004
【図３】
2005248572.tif 000005
【図４】
2005248572.tif 000006
【図５】
2005248572.tif 000007
【図６】
2005248572.tif 000008
【図７】
2005248572.tif 000009
【図８】
2005248572.tif 000010
【図９】
2005248572.tif 000011
【図１０】
2005248572.tif 000012